(57)【要約】      （修正有）【課題】墓石に免震性を付与する構造を展示するため、墓石の一部を透明材料と置換し墓石さお石、墓石中間台と墓石土台の境界に存在する免震性構造体を観察可能とした展示用免震性墓石の提供。【解決手段】墓石さお石、墓石中間台と、墓石土台の間に免震性構造体を形成している展示用免震性墓石において、墓石土台と接触する墓石さお石の一部分乃至墓石中間台の一部分が、透明な材料で作成されることにより、免震性構造体を観察可能である。透明窓を形成する透明な材料は、プラスチックス、あるいは、ガラスセラミックスである。【選択図】図４
0003119320.tif 000002
【実用新案登録請求の範囲】
【請求項１】
墓石さお石乃至墓石中間台と、墓石土台の間に免震性構造体を形成している展示用免震性墓石において、墓石土台と接触する墓石さお石の一部分乃至墓石中間台の一部分が、透明な材料で作成されることにより、免震性構造体が観察可能であることを特徴とする展示用免震性墓石。
【請求項２】
請求項１において、透明窓を形成する透明材料が、プラスチックスであることを特徴とする展示用免震性墓石。
【請求項３】
請求項１において、透明窓を形成する透明材料が、ガラスセラミックスであることを特徴とする展示用免震性墓石。
【請求項４】
請求項１において、透明窓を形成する透明材料が、墓石さお石乃至墓石中間台に透明な接着剤を用い接着されていることを特徴とする展示用免震性墓石。
【請求項５】
請求項１において、透明窓を形成する透明材料は、墓石さお石乃至墓石中間台の角の部分に嵌め込まれていることを特徴とする展示用免震性墓石。
【請求項６】
請求項１において、透明窓を形成する透明材料は、直方体であることを特徴とする展示用免震性墓石。
【考案の詳細な説明】
【技術分野】
【０００１】
本考案は、展示用免震性墓石に関し、さらに詳しくは、墓石に免震性を付与する構造を展示するため、墓石の一部を透明材料と置換し、墓石さお石と墓石土台の境界に存在する免震性構造体を観察可能とした展示用免震性墓石に関する。
【背景技術】
【０００２】
地震などにより墓石などが倒壊することは広く経験されるところである。このような墓石の倒壊防止のため種々の方法が提案されている。本考案者も、墓石さお石と墓石土台との間に、弾性材料と金属球などの球状体を配した転倒防止シートを利用する方式を提案している（特許文献１）。
しかし、商品として顧客に展示したり説明したりする際に、墓石は、不透明であるため、どの様な構造になっているか説明することに困難が伴っていた。
従来、商品の展示の如何により売り上げが影響されるため、種々工夫がなされている。展示物の内容の理解を容易にするため、回転駆動可能にしたり色つき装飾片を収納したりする方法（特許文献２）が知られているが、墓石に関しては知られていない。
【０００３】
【特許文献１】ＰＣＴ／ＪＰ２００５／０１８８５９号
【特許文献２】特開２００１−３１４２９４号公報
【０００４】
墓石の免震性は、墓石さお石乃至墓石中間台と墓石土台の間に免震性構造体を設けることにより付与しており、墓石の免震性を説明するため、免震構造を観察可能することが必要になる。墓石は、通常透明でない材料で製作されているため、目視可能とするには、墓石さお石乃至墓石中間台を脇に移動させる必要がある。
【考案の開示】
【考案が解決しようとする課題】
【０００５】
そこで本考案の目的は、墓石に免震性を付与する構造を、墓石さお石や墓石中間台を脇に移動することなく理解可能なように展示するため、墓石の一部を透明材料と置換し、墓石さお石と墓石中間台乃至墓石中間台と墓石土台の境界に存在する免震性構造体を観察可能とした展示用免震性墓石の開発にある。
【課題を解決するための手段】
【０００６】
すなわち、本考案の展示用免震性墓石は、以下の特徴を有する。
（１）  墓石さお石乃至墓石中間台と、墓石土台の間に免震性構造体を形成している展示用免震性墓石において、墓石土台と接触する墓石さお石の一部分乃至墓石中間台の一部分が、透明な材料で作成されることにより、免震性構造体が観察可能であることを特徴とする、
（２）  （１）において、透明窓を形成する透明な材料が、プラスチックスであることを特徴とする、
（３）  （１）において、透明窓を形成する透明な材料が、ガラスセラミックスであることを特徴とする、
（４）  （１）において、透明窓を形成する透明材料が、墓石さお石乃至墓石中間台に透明な接着剤を用い接着されていることを特徴とする、
（５）  （１）において、透明窓を形成する透明材料は、墓石さお台乃至墓石中間台の角の部分に嵌め込まれていることを特徴とする、
（６）  （１）において、透明窓を形成する透明材料は、直方体であることを特徴とする。
【０００７】
本考案の展示用免震性墓石においては、墓石さお石乃至墓石中間台の、墓石土台に近い部分の一部が、透明な材料で形成されている。このため、墓石土台の上を観察することが可能であり、通常は、墓石さお石乃至墓石中間台と墓石土台の境界にある免震性構造体を観察可能とするのである。
【０００８】
ここに使用される透明材料としては、プラスチックス、ガラスセラミックスがあげられる。プラスチックスとしては、メタクリル樹脂、ポリオレフィン樹脂、ポリエステル樹脂、ポリスチレン樹脂などがあげられる。なおここで、顔料を併用すると、透明性が阻害されるため好ましくない。
【０００９】
透明材料として使用されるガラスセラミックスとしては、アルミナ、シリカ、酸化鉛、酸化ナトリウム、酸化マグネシウム等を原料としたガラス状物質をあげることができる。透明材料は全体がプラスチック材料乃至ガラスセラミック材料で作成されていてもよいし、一部中空となっていてもよい。
【００１０】
本考案において、墓石さお石と透明材料を接合する方法として、墓石さお石の角に欠落部を形成させ、透明材料を欠落部に嵌め込む方法、同様に、墓石さお石の角に欠落部を形成させ、透明材料を欠落部に嵌め込むと同時に接着剤で接着する方法などがある。
【００１１】
ここに使用できる接着剤としては、エポキシ樹脂、シアノアクリレート樹脂、アクリル樹脂、メタクリル樹脂、酢酸ビニル樹脂など従来公知の樹脂を使用できる。
【００１２】
墓石は、第一の構成として、最上部に墓石さお石があり、その下に墓石土台とする構成がある。第二の構成として、墓石さお石があり、中間に墓石中間台、最下層に墓石土台構成がある。この結果、免震性構造体は、墓石さお石と墓石土台の間、墓石さお石と墓石中間台の間、墓石中間台と墓石土台の間に作成されている。
墓石さお石乃至墓石中間台と墓石土台の境界にある免震性構造体として、ポリウレタンなどの弾性体と、金属・プラスチックス・セラミックスなどからなる球状体を用いる。
【００１３】
本考案における、墓石さお石と墓石土台の間に設ける免震性構造体とは、従来公知の地震による墓石さお石の倒壊を防ぐ構造であって、具体的には、
（１）ポリウレタンなどの弾性材料の内部に、鉛、スズなどの金属、プラチックス、セラミックスを有する転倒防止用シート、
（２）ポリウレタンなどの弾性材料と該弾性材料の厚みと同等乃至同等以上の径の金属球・プラスチック球からなる転倒防止シート、
（３）ポリウレタンなどの弾性材料と金属シートの積層品からなる転倒防止シート
をあげることができる。
【００１４】
本考案において、球状体に使用できる金属としては、好ましくは、スズ、ハンダ、ステンレス、鉛、真鍮、金メッキ・銀メッキした真鍮をあげることができる。金・銀・白金などの貴金属は高価すぎるし、銅、亜鉛などでは、使用中酸化しやすいからである。
【００１５】
本考案において、球状体に使用できるセラミックスとしては、好ましくはアルミナ、ジルコニア、カオリンなど従来公知のセラミックスをあげることができる。これらセラミックスは入手が容易であり、酸化安定性、安全性がすぐれているからである。
【００１６】
本考案において、球状体に使用できるプラスチックスとしては、ポリエチレン、ポリプロピレン、ポリエステルなどの線状高分子や、メラミン樹脂、フェノール樹脂、エポキシ樹脂などの架橋構造を有するプラスチックスをあげることができる。入手が容易であるからである。
【考案を実施するための最良の形態】
【００１７】
図１は、透明体５を嵌め込んだ墓石さお石３と、透明体５を嵌め込んだ墓石中間台９の間に、あるいは透明体５を嵌め込んだ墓石中間台９と墓石土台２の間に、弾性体４と金属球６からなる免震性構造体を形成している展示用免震性墓石の断面図である。透明体５により、免震性構造体が観察可能となる。
【００１８】
図２は、図１で示す墓石において、透明体５を嵌め込んだ墓石中間台９における弾性体４と金属球６及び透明体５の配置状況を示す墓石中間台９の平面図である。なお、Ａ、Ｂは、第１図に示す断面図における切断位置を示す。また透明体５は墓石中間台９の免震性構造体の存在する面には作成されないため、その存在する位置は点線で示す。
【００１９】
図３は、墓石土台２と、透明体５を嵌め込んだ墓石中間台９の間に、弾性体４、該弾性体の厚みと同じ寸法の径の金属球６、弾性体４の厚みより小さい径のセラミック球７からなる免震性構造体を設けた展示用免震性墓石の部分断面図である。
【００２０】
図４は、墓石土台２と透明体５を嵌め込んだ墓石中間台９の間に、弾性体４、該弾性体の厚みより大きい寸法の径の金属球６、金属球６の取り付け作業中おける移動を防ぐ目的で使用されるリング８からなる免震性構造体を設けた展示用免震性墓石の部分断面図である。
【００２１】
図５は、墓石土台２と透明体５を嵌め込んだ墓石中間台９の間に、弾性体４、該弾性体の厚みと同じ寸法の径の金属球６、金属球６の取り付け作業中における移動を防ぐ目的で使用されるリング８からなる免震性構造体を設けた展示用免震性墓石の部分断面図である。
【００２２】
以上の説明によって明らかな様に、本考案による転倒防止シートは、以下に列挙した如き、実用上の好ましい効果を奏する。
（ａ）  墓石さお石乃至墓石中間台の一部が透明体となっているため、墓石さお石、墓石中間台と墓石土台との間に設けられた免震構造物を、墓石さお石、墓石中間台を移動させることなく観察可能であり、顧客に対する説明を容易に行うことが可能である。
（ｂ）  展示用免震性墓石は、墓石さお石乃至墓石中間台のわずかな改変で作成可能であり、コスト上昇も殆どない。
【図面の簡単な説明】
【００２３】
【図１】透明体を嵌め込んだ墓石さお石と、透明体を嵌め込んだ墓石中間台の間、透明体を嵌め込んだ墓石中間台と墓石土台の間に、弾性体と金属球からなる免震性構造体を設けた展示用免震性墓石の断面図である。
【図２】図１で示す墓石において、透明体を嵌め込んだ墓石中間台における弾性体と金属球及び透明体の配置状況を示す墓石中間台の平面図である。
【図３】墓石土台と透明体を嵌め込んだ墓石中間台の間に、弾性体、該弾性体の厚みと同じ寸法の径の金属球、弾性剤の厚みより小さい径のセラミック球からなる免震性構造体を設けた展示用免震性墓石の部分断面図である。
【図４】墓石土台と透明体を嵌め込んだ墓石中間台の間に、弾性体、該弾性体の厚みより大きい寸法の径の金属球、リングからなる免震性構造体を設けた展示用免震性墓石の部分断面図である。
【図５】墓石土台と透明体を嵌め込んだ墓石中間台の間に、弾性体、該弾性体の厚みと同じ寸法の径の金属球、リングからなる免震性構造体を設けた展示用免震性墓石の部分断面図である。
【符号の説明】
【００２４】
１      墓
２      墓石土台
３      墓石さお石
４      弾性体
５      透明体
６      金属球
７      セラミック球
８      リング
９      墓石中間台
Ａ、Ｂ  断面図の切断位置を示す。
【図１】
0003119320.tif 000003
【図２】
0003119320.tif 000004
【図３】
0003119320.tif 000005
【図４】
0003119320.tif 000006
【図５】
0003119320.tif 000007